(57)【要約】【課題】豊隆面が小さく、かつ低く形成される前歯用の技工物に対しても、小さな把持力で高い保持力を得ることができる技工物挟持用プライヤーを提供する。【解決手段】一対のプライヤー本体１が長手方向の中間部分において枢軸２により回動自在に連結されることにより、枢軸２の基端側に互いに接離操作される把持部３が形成されるとともに、先端側に上記接離操作によって開閉して対向面５ａ、５ｂ間で技工物Ｃを挟持する挟持部６ａ、６ｂが形成され、かつ一方の挟持部６ａの対向面５ａに、長方形状の周縁部の短辺７ａを枢軸２側から先端側に向けて位置させた第１の穴部７を形成した。【選択図】図２
2019063337.tif 000002
【特許請求の範囲】
【請求項１】
一対のプライヤー本体が長手方向の中間部分において枢軸により回動自在に連結されることにより、上記枢軸の基端側に互いに接離操作される把持部が形成されるとともに、先端側に上記接離操作によって開閉して対向面間で技工物を挟持する挟持部が形成された技工物挟持用プライヤーにおいて、
一方の上記挟持部の上記対向面に、長方形状の周縁部の短辺を上記枢軸側から上記先端側に向けて位置させた第１の穴部を形成したことを特徴とする技工物挟持用プライヤー。
【請求項２】
他方の上記挟持部の上記対向面に、上記第１の穴部の上記長方形状よりも内法寸法が小さい長方形状の周縁部長辺を上記枢軸側から上記先端側に向けて位置させた第２の穴部を形成したことを特徴とする請求項１に記載の技工物挟持用プライヤー。
【請求項３】
上記一方の上記把持部に、上記第１の穴部に対応する位置の表面に凹部が形成された筒状のシリコンゴム製のキャップが外装されていることを特徴とする請求項１または２に記載の技工物挟持用プライヤー。
【発明の詳細な説明】
【技術分野】
【０００１】
本発明は、前歯の虫歯治療において、削られた歯牙の外周にクラウン（冠）状の技工物等を調整して固定する際に用いられる技工物挟持用プライヤーに関するものである。
【背景技術】
【０００２】
一般的に、虫歯治療においては、歯牙の虫歯部分を削り取った後に、当該歯牙の形や機能を回復させるために、削り取った部分を金属やセラミックスあるいは合成樹脂によって複製した技工物を作成し、これを上記歯牙の削除部分に固定している。
【０００３】
この際に、上記技工物は、製作誤差によって１度で正確に噛み合わせを合致させて固定することができない。このため、当該技工物を上記削除部分に仮着し、着色シート等を用いて上下の歯の噛み合わせを行った後に、一旦歯牙から取り外してグラインダー等による微切削処理を施し、再び仮着して噛み合わせを行う作業を数回繰り返して、上記噛み合わせ調整が完了した後に、はじめて接着剤を用いて上記技工物を上記削除部分に固定する方法が広く採用されている。
【０００４】
ところで、このような技工物の調整工程において、特にクラウン（冠）状の技工物を取り外す際には、噛み合わせ調整時の圧力によって歯牙に嵌合している技工物を、強い引き抜き力によって歯牙から引き抜く必要があるために、上記技工物を挟持するための専用のプライヤーが用いられている。
【０００５】
このプライヤーは、一対のプライヤー本体が長手方向の中間部において枢軸によって回動自在に連結されることにより、上記枢軸の基端部側に互いに接離操作される把持部が形成され、先端部側に上記接離操作によって開閉して対向面間で上記技工物を挟持する挟持部が形成されたものである。
【０００６】
例えば下記特許文献１においては、この種のプライヤーであって、かつ挾持部の一端に、歯に填め込んだクラウンと当接する滑り止め部を設け、挾持部の他端にはクラウンに設けた偏心して穿孔された大小の孔の小孔に挿入するための円錐状で滑面加工が施された挿入部を設けたものが提案されている。
【０００７】
一方、予め大小の孔が穿設されていない一般的なクラウン状の技工物を取り外すための従来のプライヤーとしては、上記挟持部の対向面を平板状または凹面状に形成し、当該挟持部間において上記技工物の豊隆面を挟持するものが知られている。
【０００８】
しかしながら、近年における技工物の製作精度の向上に伴い、製作直後から技工物を治療歯牙との嵌め合い精度が高まって、当該技工物を取り外す際に大きな引き抜き力が必要になっているのに対して、上記従来のプライヤーにあっては、平面状または凹面状の対向面と技工物の豊隆面とが点接触に近いものになるために、従来よりも強い把持力によって挟持しないと、上記引き抜きに必要とされる保持力を得ることが難しいという問題点があった。
【０００９】
他方で、昨今、従来の金や銀等の金属製の技工物に代えて、自然の歯の色に近い白色系のセラミックス製や合成樹脂製の技工物が好まれる傾向にあり、この種の技工物は金属と比較して脆いために、上記プライヤーによって強い把持力で挟持しようとすると割れを生じやすいという問題点もあった。
【００１０】
また、特に上顎の前歯、すなわち通称上側左右の１番〜３番と呼ばれる中切歯、側切歯および犬歯（糸切歯）にあっては、上記技工物の豊隆面が小さく、かつ低いために、所望とする保持力自体が得難いという問題点もあった。
【先行技術文献】
【特許文献】
【００１１】
【特許文献１】特開平１０−２１６１５１号公報
【発明の概要】
【発明が解決しようとする課題】
【００１２】
本発明は、上記事情に鑑みてなされたものであり、豊隆面が小さく、かつ低く形成される前歯用の技工物に対しても、小さな把持力で高い保持力を得ることができる技工物挟持用プライヤーを提供することを課題とするものである。
【課題を解決するための手段】
【００１３】
上記課題を解決するため、請求項１に記載の発明は、一対のプライヤー本体が長手方向の中間部分において枢軸により回動自在に連結されることにより、上記枢軸の基端側に互いに接離操作される把持部が形成されるとともに、先端側に上記接離操作によって開閉して対向面間で技工物を挟持する挟持部が形成された技工物挟持用プライヤーにおいて、一方の上記挟持部の上記対向面に、長方形状の周縁部の短辺を上記枢軸側から上記先端側に向けて位置させた第１の穴部を形成したことを特徴とするものである。
【００１４】
また、請求項２に記載の発明は、請求項１に記載の発明において、他方の上記挟持部の上記対向面に、上記第１の穴部の上記長方形状よりも内法寸法が小さい長方形状の周縁部長辺を上記枢軸側から上記先端側に向けて位置させた第２の穴部を形成したことを特徴とするものである。
【００１５】
さらに、請求項３に記載の発明は、請求項１または２に記載の発明において、上記一方の上記把持部に、上記第１の穴部に対応する位置の表面に凹部が形成された筒状のシリコンゴム製のキャップが外装されていることを特徴とするものである。
【００１６】
なお、請求項１〜３に記載の発明において、技工物とは、歯牙の虫歯部分を削り取った部分を型にとって金属やセラミックスあるいは合成樹脂により製作された補填物のみならず、インプラントの上部構造も含むものである。
【発明の効果】
【００１７】
上述したように、一般に前歯、特に上顎の前歯（上側左右の１番〜３番）用の技工物にあっては、実際の歯の形状に合わせて製作されるために、他の臼歯用の技工物と比較して豊隆面の面積が小さく、高さ寸法も小さい。また、上記１番〜３番の前歯は、表側（口外側）においては、歯茎に近接して水平方向に長い豊隆面が形成されており、裏側（口内側）においては、歯茎に近接して上下方向に長い小さな豊隆面が形成されている。
【００１８】
したがって、請求項１〜３のいずれかに記載の発明においては、上顎の前歯の治療歯への技工物の調整工程においてクラウン状の技工物を取り外す際に、一方の対向面に形成された第１の穴部を上記技工物の表側の豊隆面に当接させると、当該第１の穴部の長方形状の縁部が、技工物の水平方向に長い豊隆面に沿って略全周にわたって当接する。
【００１９】
この結果、技工物に対する線接触が広範囲となり、かつ線接触の長さ寸法が大きくなるために、豊隆面の高さ寸法が小さい前歯用の技工物に対して、小さな単位面積当たりの押圧力によっても、全体としてバランスの良い高い保持力を得ることができ、よってセラミックス製等の強度に劣る技工物に対しても、小さな把持力で高い保持力を得ることができる。
【００２０】
また、上記前歯用の技工物は、実歯の形状に合わせて、前面側に上記豊隆面が形成され、裏面側にこれより低く、かつ縦長の豊隆面が形成されている。このため、請求項２に記載の発明のように、技工物の裏側を挟持する挟持部の対向面に、縁部が縦長の第２の穴部を形成すれば、技工物の裏側においても当該第２の穴部の縁部を豊隆面に略全周にわたって当接させることにより、全体としての保持力を一段と高めることができて好適である。
【００２１】
また、請求項３に記載の発明のように、少なくとも上記一方の把持部に筒状のシリコンゴム製のキャップを外装すれば、金属製の把持部における縁部が技工物の表面に直接当接することによる傷等の発生を確実に防止することができる。
【００２２】
この際に、請求項３に記載の発明においては、第１の穴部に対応する上記キャップの位置の表面に凹部を形成しているために、当該凹部内に上記豊隆面が収納されるとともに、豊隆面の高さによってはキャップが第１の穴部内へと弾性変形することにより、上記技工物の豊隆面に、上記キャップを間に介して第１の穴部の縁部の全周が線接触するとともに、キャップの表面が面接触することにより、小さな把持力によって安定した極めて高い保持力を得ることが可能になる。
【図面の簡単な説明】
【００２３】
【図１】本発明の第１の実施形態を示す正面図である。
【図２】図１の一方の把持部を示す側面図である。
【図３】図２の先端部分の拡大図である。
【図４】図３のＡ−Ａ線視断面図である。
【図５】図１の他方の把持部を示す側面図である。
【図６】図５の先端部分の拡大図である。
【図７】図６のＢ−Ｂ線視断面図である。
【図８】図１の挟持部間で技工物を挟持した状態を示す縦断面図である。
【図９】図８の技工物の全面側から視た側面図である。
【図１０】図８の技工物の裏面側から視た側面図である。
【図１１】本発明の第２の実施形態を示す正面図である。
【図１２】図１１の一方の把持部に外挿したキャップを示す斜視図である。
【図１３】図１２の側面図である。
【図１４】図１２の断面図である。
【図１５】図１４のＣ−Ｃ線視断面図である。
【図１６】図１１の他方の把持部に外挿したキャップを示す斜視図である。
【図１７】図１６の側面図である。
【図１８】図１６の断面図である。
【図１９】図１８のＤ−Ｄ線視断面図である。
【図２０】図１１のキャップ間で技工物を挟持した状態を示す縦断面図である。
【発明を実施するための形態】
【００２４】
（第１の実施形態）
図１〜図７は、本発明に係る技工物挟持用プライヤーを、上顎の前歯に仮着したクラウン状（冠状）の技工物を取り外す際に用いられるプライヤーに適用した第１の実施形態を示すものである。
【００２５】
これらの図において、このプライヤーは、一対のプレイヤー本体１が長手方向の中間部において枢軸２によって回動自在に連結されることにより、枢軸２の基端部側に互いに接離操作される一対の把持部３が形成されるとともに、これら把持部３の対向面間に、把持部３を開く方向に付勢する板バネ４が介装され、枢軸２の先端部側に上記接離操作によって開閉して対向面５ａ、５ｂ間で上記技工物を挟持する一対の挟持部６ａ、６ｂが形成されたものである。
【００２６】
そして、このプライヤーにおいては、両方の挟持部６ａ、６ｂに、表裏面に貫通して対向面５ａ、５ｂに開口する貫通孔（穴部）７、８が穿設されている。ここで、一方の把持部６ａに形成された貫通孔７（第１の穴部）は、図２〜図４に示すように、周縁部が枢軸２側から把持部６ａの先端側に向けて短辺７ａを位置させ、これと直交する把持部６ａの幅方向に長辺７ｂを位置させた長方形状に形成されている。ちなみに、本実施形態において、貫通孔７は、短辺７ａが2.5mm、長辺７ｂが4.0mmであって角隅部に0.5mmのＲ加工が施された長辺形状に形成されている。
【００２７】
また、他方の把持部６ｂに形成された貫通孔８（第２の穴部）は、図５〜図７に示すように、周縁部が枢軸２側から把持部６ｂの先端側に向けて長辺８ａを位置させ、これと直交する把持部６ｂの幅方向に短辺８ｂを位置させた長方形状に形成されている。そして、この貫通孔８は、上記貫通孔７の長方形状よりも内法寸法が小さい長方形状に形成されている。ちなみに、本実施形態において、貫通孔８は、長辺８ａが2.5mm、短辺８ｂが2.0mmであって角隅部に0.5mmのＲ加工が施された長辺形状に形成されている。
【００２８】
さらに、両対向面５ａ、５ｂには、枢軸２に軸線方向と略平行に、複数条の突起９ａ、９ｂが基端側から先端部側に向けて間隔をおいて形成されている。
【００２９】
上記構成からなるプライヤーによれば、図８に示すように、上顎の前歯の治療歯への技工物の調整工程において、上顎の前歯Ｔに仮着した冠状の技工物Ｃを取り外す際に、挟持部６ｂを気孔物Ｃの裏側に差し入れて、挟持部６ａ、６ｂに穿設した貫通孔７、８を技工物Ｃの豊隆面ｆに合わせて両側から挟持する。
【００３０】
すると、図９に示すように、技工物Ｃの表側（口外側）においては、歯茎に近接して水平方向に長い豊隆面ｆが形成されているために、一方の挟持部６ａに形成された横長の貫通孔７を上記豊隆面ｆの頂部を囲繞するようにして配置することにより、当該貫通孔７の長方形状の周縁部７ａ、７ｂが、技工物Ｃの豊隆面ｆに沿って略全周にわたって当接する。
【００３１】
また、図１０に示すように、技工物Ｃの裏側（口内側）においては、歯茎に近接して上下方向に長い小さな豊隆面ｆが形成されているために、他方の挟持部６ｂに形成された縦長の貫通孔８を上記豊隆面Ｆの頂部を囲繞するようにして配置することにより、当該貫通孔８の長方形状の周縁部８ａ、８ｂが、上記豊隆面ｆに沿って略全周にわたって当接する。
【００３２】
この結果、技工物Ｃと挟持部６ａ、６ｂの貫通孔７、８の周縁部との線接触が広範囲となり、かつ線接触の長さ寸法が大きくなるために、豊隆面ｆの高さ寸法が小さい前歯用の技工物Ｃに対して、小さな単位面積当たりの押圧力によっても、全体としてバランスの良い高い保持力を得ることができ、よってセラミックス製等の強度に劣る技工物に対しても、小さな把持力で高い保持力を得ることができる。
【００３３】
加えて、対向面５ａ、５ｂに、枢軸２と略平行に延在する複数条の突起９を形成しているために、図４および図７に示すように、貫通孔７、８の縁部が凹凸になり、これにより技工物Ｃに対する保持力を一段と向上させることができる。
【００３４】
（第２の実施形態）
図１１〜図１９は、本発明に係る技工物挟持用プライヤーを、同様に上顎の前歯用に仮着した冠状の技工物Ｃを取り外す際に用いられるプライヤーに適用した第２の実施形態を示すもので、図１に示したものと共通する構成部分については、同一符号を付してその説明を簡略化する。
【００３５】
本実施形態のプライヤーは、第１の実施形態に示したプライヤーの挟持部６ａ、６ｂに、各々シリコンゴム（本実施形態においては硬度５０°）からなる第１および第２のキャップ１０、１１が外装されたものである。すなわち、技工物Ｃの表側（口外側）を挟持する挟持部６ａに、図１２〜図１５に示す第１のキャップ（キャップ）１０が装着されている。
【００３６】
この第１のキャップ１０は、上記挟持部６ａの外周に密着する内法寸法に形成された角筒状のもので、対向面５ａが当接する内周面と対向する側の内周面には、貫通孔７内に突出して第１のキャップ１０を挟持部６ａの外周に位置決めする凸部１２が形成されている。
【００３７】
また、挟持部６ａの対向面５ａが当接する側の表面には、凹部１３が形成されている。この凹部１３は、貫通孔７に対向する位置において当該貫通孔７の短辺７ａおよび長辺７ａに対応するように水平方向に長軸を有する長穴状に形成されている。
【００３８】
他方、技工物Ｃの裏側（口内側）を挟持する挟持部６ｂに、図１６〜図１９に示す第２のキャップ１１が装着されている。この第２のキャップ１１は、他方の挟持部６ｂの外周に密着する内法寸法に形成された角筒状のもので、対向面５ｂが当接する内周面と対向する側の内周面には、貫通孔８内に突出して第２のキャップ１０を挟持部６ｂの外周に位置決めする凸部１４が形成されている。
【００３９】
さらに、第２のキャップ１１においては、挟持部６ｂの対向面５ｂが当接する側が肉厚に形成されており、その表面に複数条のヘ字状の凸部１５が基端部側から先端部側に向けて形成されている。
【００４０】
以上の構成からなるプライヤーによって、前歯Ｔに仮着した冠状の技工物Ｃを取り外す際には、図２０に示すように、技工物Ｃの豊隆面ｆの高さ寸法が大きい前面側に、第１のキャップ１０を装着した把持部６ａを配置し、豊隆面ｆの高さ寸法が小さい裏面側に、第２のキャップ１１を装着した把持部６ｂを配置して、上記技工物Ｃを挟持する。
【００４１】
これにより、第１のキャップ１０の対向面に形成した凹部１３が、技工物Ｃの前面の豊隆面ｆの頂部から外周面を囲繞するようにして当接するとともに、第２のキャップ１１の対向面に形成した凸部１５が、技工物Ｃの比較的平坦な裏面に当接することにより、確実に技工物Ｃを取り外すことが可能になる。
【００４２】
この結果、第２の実施形態のプライヤーによれば、両方の把持部６ａ、６ｂに筒状のシリコンゴム製の第１のキャップ１０および第２のキャップ１１を外装しているために、金属製の把持部における縁部が技工物Ｃの表面に直接当接することによる傷等の発生を確実に防止することができる。
【００４３】
加えて、比較的高い豊隆面ｆが形成されている技工物Ｃの前面側を挟持する第１のキャップ１０の表面に凹部１３を形成しているために、この凹部１３内に上記豊隆面ｆが収納されるとともに、豊隆面ｆの高さによっては第１のキャップ１０が貫通孔７内へと弾性変形する。これにより、技工物Ｃの豊隆面ｆに、第１のキャップ１０を間に介して貫通孔７の縁部の全周が線接触するとともに、第１のキャップ１０の表面が面接触することにより、小さな把持力によって安定した極めて高い保持力を得ることができる。
【００４４】
しかも、技工物Ｃの裏面側を挟持する第２のキャップ１１の表面に、複数条の凸部１５を形成しているために、上記技工物Ｃにおける豊隆面ｆの高さ寸法が極端に小さい場合においても、貫通孔８の作用に依らずに第２のキャップ１１の凸部１５によって確実の技工物Ｃの裏面側を保持することが可能になる。
【００４５】
なお、上記第１および第２の実施形態においては、いずれも周縁部が技工物Ｃの豊隆面ｆを囲繞する穴部として、挟持部６ａ、６ｂの表裏面に貫通して対向面５ａ、５ｂに開口する貫通孔７、８を形成した場合に付いてのみ説明したが、本発明はこれに限定されるものではなく、上記豊隆面ｆの頂部と接しない限りにおいて上記貫通孔７、８に代えて底部を有する穴部を形成しても同様の効果を得ることができる。
【符号の説明】
【００４６】
１  プライヤー本体
２  枢軸
３  把持部
５ａ、５ｂ  対向面
６ａ、６ｂ  挟持部
７  貫通孔（第１の穴部）
７ａ  短辺
７ｂ  長辺
８  貫通孔（第２の穴部）
８ａ  長辺
８ｂ  短辺
１０  第１のキャップ（キャップ）
１３  凹部
Ｃ  技工物
ｆ  豊隆面
【図１】
2019063337.tif 000003
【図２】
2019063337.tif 000004
【図３】
2019063337.tif 000005
【図４】
2019063337.tif 000006
【図５】
2019063337.tif 000007
【図６】
2019063337.tif 000008
【図７】
2019063337.tif 000009
【図８】
2019063337.tif 000010
【図９】
2019063337.tif 000011
【図１０】
2019063337.tif 000012
【図１１】
2019063337.tif 000013
【図１２】
2019063337.tif 000014
【図１３】
2019063337.tif 000015
【図１４】
2019063337.tif 000016
【図１５】
2019063337.tif 000017
【図１６】
2019063337.tif 000018
【図１７】
2019063337.tif 000019
【図１８】
2019063337.tif 000020
【図１９】
2019063337.tif 000021
【図２０】
2019063337.tif 000022
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
一対のプライヤー本体が長手方向の中間部分において枢軸により回動自在に連結されることにより、上記枢軸の基端側に互いに接離操作される把持部が形成されるとともに、先端側に上記接離操作によって開閉して対向面間で技工物を挟持する挟持部が形成された技工物挟持用プライヤーにおいて、
一方の上記挟持部の上記対向面に、長方形状の周縁部の短辺を、上記一方の挟持部における幅方向と直交するように上記枢軸側から上記先端側に向けて位置させた第１の穴部を形成したことを特徴とする技工物挟持用プライヤー。
【請求項２】
他方の上記挟持部の上記対向面に、上記第１の穴部の上記長方形状よりも内法寸法が小さい長方形状の周縁部長辺を、上記他方の挟持部における幅方向と直交するように上記枢軸側から上記先端側に向けて位置させた第２の穴部を形成したことを特徴とする請求項１に記載の技工物挟持用プライヤー。
【請求項３】
上記一方の挟持部に、上記第１の穴部に対応する位置の表面に凹部が形成された筒状のシリコンゴム製のキャップが外装されていることを特徴とする請求項１または２に記載の技工物挟持用プライヤー。
【手続補正２】
【補正対象書類名】明細書
【補正対象項目名】００１３
【補正方法】変更
【補正の内容】
【００１３】
上記課題を解決するため、請求項１に記載の発明は、一対のプライヤー本体が長手方向の中間部分において枢軸により回動自在に連結されることにより、上記枢軸の基端側に互いに接離操作される把持部が形成されるとともに、先端側に上記接離操作によって開閉して対向面間で技工物を挟持する挟持部が形成された技工物挟持用プライヤーにおいて、一方の上記挟持部の上記対向面に、長方形状の周縁部の短辺を、上記一方の挟持部における幅方向と直交するように上記枢軸側から上記先端側に向けて位置させた第１の穴部を形成したことを特徴とするものである。
【手続補正３】
【補正対象書類名】明細書
【補正対象項目名】００１４
【補正方法】変更
【補正の内容】
【００１４】
また、請求項２に記載の発明は、請求項１に記載の発明において、他方の上記挟持部の上記対向面に、上記第１の穴部の上記長方形状よりも内法寸法が小さい長方形状の周縁部長辺を、上記他方の挟持部における幅方向と直交するように上記枢軸側から上記先端側に向けて位置させた第２の穴部を形成したことを特徴とするものである。
【手続補正４】
【補正対象書類名】明細書
【補正対象項目名】００１５
【補正方法】変更
【補正の内容】
【００１５】
さらに、請求項３に記載の発明は、請求項１または２に記載の発明において、上記一方の挟持部に、上記第１の穴部に対応する位置の表面に凹部が形成された筒状のシリコンゴム製のキャップが外装されていることを特徴とするものである。
【手続補正５】
【補正対象書類名】明細書
【補正対象項目名】００２１
【補正方法】変更
【補正の内容】
【００２１】
また、請求項３に記載の発明のように、少なくとも上記一方の挟持部に筒状のシリコンゴム製のキャップを外装すれば、金属製の挟持部における縁部が技工物の表面に直接当接することによる傷等の発生を確実に防止することができる。
【手続補正６】
【補正対象書類名】明細書
【補正対象項目名】００２６
【補正方法】変更
【補正の内容】
【００２６】
そして、このプライヤーにおいては、両方の挟持部６ａ、６ｂに、表裏面に貫通して対向面５ａ、５ｂに開口する貫通孔（穴部）７、８が穿設されている。ここで、一方の挟持部６ａに形成された貫通孔７（第１の穴部）は、図２〜図４に示すように、周縁部が枢軸２側から挟持部６ａの先端側に向けて短辺７ａを位置させ、これと直交する挟持部６ａの幅方向に長辺７ｂを位置させた長方形状に形成されている。ちなみに、本実施形態において、貫通孔７は、短辺７ａが2.5mm、長辺７ｂが4.0mmであって角隅部に0.5mmのＲ加工が施された長辺形状に形成されている。
【手続補正７】
【補正対象書類名】明細書
【補正対象項目名】００２７
【補正方法】変更
【補正の内容】
【００２７】
また、他方の挟持部６ｂに形成された貫通孔８（第２の穴部）は、図５〜図７に示すように、周縁部が枢軸２側から挟持部６ｂの先端側に向けて長辺８ａを位置させ、これと直交する挟持部６ｂの幅方向に短辺８ｂを位置させた長方形状に形成されている。そして、この貫通孔８は、上記貫通孔７の長方形状よりも内法寸法が小さい長方形状に形成されている。ちなみに、本実施形態において、貫通孔８は、長辺８ａが2.5mm、短辺８ｂが2.0mmであって角隅部に0.5mmのＲ加工が施された長辺形状に形成されている。
【手続補正８】
【補正対象書類名】明細書
【補正対象項目名】００４０
【補正方法】変更
【補正の内容】
【００４０】
以上の構成からなるプライヤーによって、前歯Ｔに仮着した冠状の技工物Ｃを取り外す際には、図２０に示すように、技工物Ｃの豊隆面ｆの高さ寸法が大きい前面側に、第１のキャップ１０を装着した挟持部６ａを配置し、豊隆面ｆの高さ寸法が小さい裏面側に、第２のキャップ１１を装着した挟持部６ｂを配置して、上記技工物Ｃを挟持する。
【手続補正９】
【補正対象書類名】明細書
【補正対象項目名】００４２
【補正方法】変更
【補正の内容】
【００４２】
この結果、第２の実施形態のプライヤーによれば、両方の挟持部６ａ、６ｂに筒状のシリコンゴム製の第１のキャップ１０および第２のキャップ１１を外装しているために、金属製の挟持部における縁部が技工物Ｃの表面に直接当接することによる傷等の発生を確実に防止することができる。
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
一対のプライヤー本体が長手方向の中間部分において枢軸により回動自在に連結されることにより、上記枢軸の基端側に互いに接離操作される把持部が形成されるとともに、先端側に上記接離操作によって開閉して対向面間で技工物を挟持する挟持部が形成された技工物挟持用プライヤーにおいて、
一方の上記挟持部の上記対向面に、長方形状の周縁部の短辺を、上記一方の挟持部における幅方向と直交するように上記枢軸側から上記先端側に向けて位置させた第１の穴部を形成し、
他方の上記挟持部の上記対向面に、上記第１の穴部の上記長方形状よりも内法寸法が小さい長方形状の周縁部長辺を、上記他方の挟持部における幅方向と直交するように上記枢軸側から上記先端側に向けて位置させた第２の穴部を形成したことを特徴とする技工物挟持用プライヤー。
【請求項２】
一対のプライヤー本体が長手方向の中間部分において枢軸により回動自在に連結されることにより、上記枢軸の基端側に互いに接離操作される把持部が形成されるとともに、先端側に上記接離操作によって開閉して対向面間で技工物を挟持する挟持部が形成された技工物挟持用プライヤーにおいて、
一方の上記挟持部の上記対向面に、長方形状の周縁部の短辺を、上記一方の挟持部における幅方向と直交するように上記枢軸側から上記先端側に向けて位置させた第１の穴部を形成し、
上記一方の挟持部に、上記第１の穴部に対応する位置の表面に凹部が形成された筒状のシリコンゴム製のキャップが外装されていることを特徴とする技工物挟持用プライヤー。
【手続補正２】
【補正対象書類名】明細書
【補正対象項目名】００１３
【補正方法】変更
【補正の内容】
【００１３】
上記課題を解決するため、請求項１に記載の発明は、一対のプライヤー本体が長手方向の中間部分において枢軸により回動自在に連結されることにより、上記枢軸の基端側に互いに接離操作される把持部が形成されるとともに、先端側に上記接離操作によって開閉して対向面間で技工物を挟持する挟持部が形成された技工物挟持用プライヤーにおいて、一方の上記挟持部の上記対向面に、長方形状の周縁部の短辺を、上記一方の挟持部における幅方向と直交するように上記枢軸側から上記先端側に向けて位置させた第１の穴部を形成し、他方の上記挟持部の上記対向面に、上記第１の穴部の上記長方形状よりも内法寸法が小さい長方形状の周縁部長辺を、上記他方の挟持部における幅方向と直交するように上記枢軸側から上記先端側に向けて位置させた第２の穴部を形成したことを特徴とするものである。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
さらに、請求項２に記載の発明は、一対のプライヤー本体が長手方向の中間部分において枢軸により回動自在に連結されることにより、上記枢軸の基端側に互いに接離操作される把持部が形成されるとともに、先端側に上記接離操作によって開閉して対向面間で技工物を挟持する挟持部が形成された技工物挟持用プライヤーにおいて、一方の上記挟持部の上記対向面に、長方形状の周縁部の短辺を、上記一方の挟持部における幅方向と直交するように上記枢軸側から上記先端側に向けて位置させた第１の穴部を形成し、上記一方の挟持部に、上記第１の穴部に対応する位置の表面に凹部が形成された筒状のシリコンゴム製のキャップが外装されていることを特徴とするものである。
【手続補正５】
【補正対象書類名】明細書
【補正対象項目名】００１６
【補正方法】変更
【補正の内容】
【００１６】
なお、請求項１〜２に記載の発明において、技工物とは、歯牙の虫歯部分を削り取った部分を型にとって金属やセラミックスあるいは合成樹脂により製作された補填物のみならず、インプラントの上部構造も含むものである
【手続補正６】
【補正対象書類名】明細書
【補正対象項目名】００１８
【補正方法】変更
【補正の内容】
【００１８】
したがって、請求項１〜２のいずれかに記載の発明においては、上顎の前歯の治療歯への技工物の調整工程においてクラウン状の技工物を取り外す際に、一方の対向面に形成された第１の穴部を上記技工物の表側の豊隆面に当接させると、当該第１の穴部の長方形状の縁部が、技工物の水平方向に長い豊隆面に沿って略全周にわたって当接する。
【手続補正７】
【補正対象書類名】明細書
【補正対象項目名】００２０
【補正方法】変更
【補正の内容】
【００２０】
また、上記前歯用の技工物は、実歯の形状に合わせて、前面側に上記豊隆面が形成され、裏面側にこれより低く、かつ縦長の豊隆面が形成されている。このため、請求項１に記載の発明のように、技工物の裏側を挟持する挟持部の対向面に、縁部が縦長の第２の穴部を形成すれば、技工物の裏側においても当該第２の穴部の縁部を豊隆面に略全周にわたって当接させることにより、全体としての保持力を一段と高めることができて好適である。
【手続補正８】
【補正対象書類名】明細書
【補正対象項目名】００２１
【補正方法】変更
【補正の内容】
【００２１】
また、請求項２に記載の発明のように、少なくとも上記一方の挟持部に筒状のシリコンゴム製のキャップを外装すれば、金属製の挟持部における縁部が技工物の表面に直接当接することによる傷等の発生を確実に防止することができる。
【手続補正９】
【補正対象書類名】明細書
【補正対象項目名】００２２
【補正方法】変更
【補正の内容】
【００２２】
この際に、請求項２に記載の発明においては、第１の穴部に対応する上記キャップの位置の表面に凹部を形成しているために、当該凹部内に上記豊隆面が収納されるとともに、豊隆面の高さによってはキャップが第１の穴部内へと弾性変形することにより、上記技工物の豊隆面に、上記キャップを間に介して第１の穴部の縁部の全周が線接触するとともに、キャップの表面が面接触することにより、小さな把持力によって安定した極めて高い保持力を得ることが可能になる。